(57)【要約】【課題】音楽ＣＤ等の１つの記録媒体を通して聴取者に対して心地よい気分、リラックスした気分を与えることができ、集中力を高めることが可能な音楽データ記録媒体を提供する。【解決手段】１８ｋＨｚ±２ｋＨｚの周波数を持ち、かつ２９×２ｎ（ｎ＝０，１，２，３）回／分のテンポ（テンポ１１６）の高周波信号を記録して成り、再生時には、前記高周波信号を再生装置を介して発生させる。【選択図】図１
2006349772.tif 000002
【特許請求の範囲】
【請求項１】
１８ｋＨｚ±２ｋＨｚの周波数を持ち、かつ２９×２ｎ（ｎ＝０，１，２，３）回／分のテンポの高周波信号を記録して成り、
再生時には、前記高周波信号を再生装置を介して発生させる、
ことを特徴とする音楽データ記録媒体。
【請求項２】
１８ｋＨｚ±２ｋＨｚの周波数で、かつ２９×２ｎ（ｎ＝０，１，２，３）回／分のテンポの高周波信号と、２９×２ｎ（ｎ＝０，１，２，３）回／分のテンポの音楽信号とを記録して成り、
再生時には、前記高周波信号と音楽データとを再生装置を介して同時に発生させる、
ことを特徴とする音楽データ記録媒体。
【発明の詳細な説明】
【技術分野】
【０００１】
本発明は、高周波信号を記録した音楽ＣＤ等の音楽データ記録媒体に関する。
【背景技術】
【０００２】
現在、人の心を癒すための様々な試みがなされており、その一つとして、音楽療法が知られている。例えば、鳥の鳴き声や、せせらぎの音などを録音した音楽ＣＤ等を聴かせることにより、脳に良い影響を与える等の試みがなされている。
【０００３】
また、可聴周波数帯域を超える高周波成分は、人間に耳には聞こえないものの、皮膚を通して感知されており、また、人間の脳には心地よさを与えることが科学的に証明されている。このような高周波成分を含む音楽または音のデータを記録し、この高周波信号成分に治療目的に対応した音の要素を担わせるようにした音楽療法プログラムが記録された記録媒体も提案されている（特許文献１）。
【０００４】
一方、脳波を測定すると、アルファ波が強く、ベータ波が弱いほど、集中し易い状態になっていることが知られている。音楽を聴いているとアルファ波が強くなることも知られているが、本発明者らの実証によれば、アルファ波の状態がテンポによって左右されることが確認されている。
【０００５】
毎分毎の楽曲の速さをテンポと称しており、数字で表示している。中ぐらいのテンポをモデラートと呼び、１０８から１２０までのテンポを指している。
【０００６】
本発明者の実験結果によれば、テンポ１１６で作業しているときにアルファ波が非常に高く、ベータ波が弱いという結果を得ている（非特許文献１）。
【特許文献１】特開２００２−１８２６７４号
【非特許文献１】片岡慎介著、「ツキを呼ぶ魔法の絶対テンポ１１６」、株式会社ビジネス社、２００４年１０月１日
【発明の開示】
【発明が解決しようとする課題】
【０００７】
上述したように、可聴周波数帯域を超える高周波成分は人間の脳に心地よさを与えること、およびテンポ１１６の音楽が人間に好影響を与え、集中力を高めることが知られている。
【０００８】
しかし、可聴周波数帯域を超える高周波成分を仮に音楽ＣＤ等の媒体に記録させたとしてもスピーカやヘッドフォンからは再生させることはできない。また、テンポ１１６の音楽データを記録させた音楽ＣＤ等は存在しているが、１つの記録媒体で、テンポ１１６の高周波信号を記録したもの、またはテンポ１１６の高周波信号とテンポ１１６の音楽データとを同時に記録でき、同時に再生することのできるものは、現在、全く存在しない。
【０００９】
本発明は上記事情に鑑み、音楽ＣＤ等の１つの記録媒体を通して聴取者に対して心地よい気分、リラックスした気分を与えることができ、集中力を高めることが可能な音楽データ記録媒体を提供することを目的としている。
【課題を解決するための手段】
【００１０】
上記の目的を達成するために請求項１の発明は、１８ｋＨｚ±２ｋＨｚの周波数を持ち、かつ２９×２ｎ（ｎ＝０，１，２，３）回／分のテンポの高周波信号を記録して成り、再生時には、前記高周波信号を再生装置を介して発生させることを特徴としている。
【００１１】
また、請求項２では、１８ｋＨｚ±２ｋＨｚの周波数で、かつ２９×２ｎ（ｎ＝０，１，２，３）回／分のテンポの高周波信号と、２９×２ｎ（ｎ＝０，１，２，３）回／分のテンポの音楽信号とを記録して成り、再生時には、前記高周波信号と音楽データとを再生装置を介して同時に発生させることを特徴としている。
【発明の効果】
【００１２】
本発明によれば、音楽ＣＤ等の１つの記録媒体を通して、人間に耳には殆ど聞こえていない１８ｋＨｚ±２ｋＨｚの高周波信号をテンポ１１６で刻んで再生することができるので、聴取者に対して心地よい気分、リラックスした気分を与えることができ、集中力を高めることが可能となる。
【００１３】
また、他の例では、音楽ＣＤ等の１つの記録媒体を通して、人間に耳には殆ど聞こえていない１８ｋＨｚ±２ｋＨｚの周波数を持つテンポ１１６の高周波信号とテンポ１１６の音楽信号とを重畳させた音楽データを再生させることができるので、より一層、聴取者に対して心地よい気分、リラックスした気分を与えることができ、集中力を高めることが可能となる。
【発明を実施するための最良の形態】
【００１４】
＜発明の原理説明＞
本発明者は、音楽の持つ特性を最大限生かし“場”を良くする音楽作りに携わる過程で以下の点を見出した。
【００１５】
すなわち、作業動作・スポーツ動作・歩行速度などのテンポは、全て“月”の影響から来ているものということを見出した。そして、調査の結果、声明・心経・数え歌・木遣りなど音楽性のものから、スポーツ界の一流選手の動作までが無意識のうちに“月”のテンポを活用していることが判明した。また、種々の実験の結果、“テンポ１１６”がリラックス感を与える等の顕著なる効果を達成することが科学的に実証され、脳の血流の面からも同様な結果が得られた。“テンポ１１６”は更にアルファ波が強く発生し、左脳との伝達まで良くなっていることが証明された。
【００１６】
テンポ１１６について詳述すると、“テンポ１１６”は月のテンポと一致している。すなわち、太陽の１日は２４時間であるのに対して、月の１日は約２４．８時間であり、〔数１〕に示すように、太陽の１日は、月の０．９６７日に相当する。
【００１７】
〔数１〕
２４時間（太陽の１日）÷２４．８時間（月の１日）＝０．９６７
従って、〔数２〕に示すように、太陽の６０秒は、月の５８．０２秒に相当する。
【００１８】
〔数２〕
６０秒（１分）×０．９６７＝５８．０２（月のテンポ）
振り子時計のように左右にカウントされると２倍であるから、太陽のテンポが１２０なら、月のテンポは１１６となる。
【００１９】
この“テンポ１１６”は、通常使用されている楽曲の中で２％という低い割合でしか存在せず、また、音楽速度を表す“モデラート”の中心にある数値である。比喩的に言えば、「暑くも無く、冷たくも無い」「辛くも無く、甘くも無い」というテンポである。このようなテンポは、楽曲を作る上で大変効果の薄い、作りづらいものである。
【００２０】
しかし、この“テンポ１１６”が集中力・ヒラメキ・運動効果・健康など,あらゆる面で効果を上げ、動・植物にまで良い影響を与えていることが実証されている。
【００２１】
この“テンポ１１６”を表す場合、本発明では、“２９×２ｎ（ｎ＝０，１，２，３）回／分のテンポ”としている。すなわち、“テンポ１１６”と言った場合には、テンポ２９、テンポ５８、テンポ１１６、テンポ２３２を総称する概念である。なお、“テンポ１１６”と言った場合、１１６±１程度の幅があり、テンポ１１５、テンポ１１７も月のテンポである“テンポ１１６”に含まれる。
【００２２】
一方、１８ｋＨｚ±２ｋＨｚの高周波信号の音は人間の聴覚レベルでは殆ど聞くことはできないものの、皮膚感覚のレベルや脳のレベルでは、心地よいものとして確実に感知されている。
【００２３】
本発明は、１８ｋＨｚ±２ｋＨｚの周波数を持ち、かつテンポ１１６の高周波信号を記録して成り、再生時には、高周波信号を再生装置を介して発生させるようにした音楽データ記録媒体を提供するものである。
【００２４】
また、本発明は、１８ｋＨｚ±２ｋＨｚの周波数で、かつテンポ１１６の高周波信号と、テンポの１１６の音楽信号とを記録して成り、再生時には、高周波信号と音楽データとを再生装置を介して同時に発生させるようにした音楽データ記録媒体を提供するものである。
【００２５】
＜実施の形態＞
図１は本発明に係る音楽データ記録媒体の実施形態を示す説明図である。この実施形態では、１８ｋＨｚの周波数を持ち、かつテンポ１１６の高周波信号を記録した音楽ＣＤ（コンパクトディスク）を作成し、再生時には、音楽ＣＤに記録された高周波信号を再生装置を介して発生させるようにしたものである。
【００２６】
音楽ＣＤ制作装置１Ａは、音源信号としてテンポ１１６、１８ｋＨｚの高周波信号を音源信号とし、この音源信号をＣＤに記録することにより音楽ＣＤ２Ａを作成する。作成された音楽ＣＤ２Ａを再生装置にて再生することにより、聴取者はスピーカを介してテンポ１１６で刻まれた１８ｋＨｚの高周波信号を聴取することができる。
【００２７】
高周波信号が人間には心地よく感じられることが知られている。この高周波信号の周波数は、１６ｋＨｚ以上２０ｋＨｚ以下、望ましくは１８ｋＨｚが良い。その理由は以下の知見に基づいている。
【００２８】
すなわち、一般的に、人の聴覚が認識できる音の周波数範囲は、２０Ｈｚ〜２０ｋＨｚ程度であると言われている。このため、音楽を記録する記録媒体は、２０ｋＨｚ以上の非可聴の音声成分をカットして記録し、記録効率を高めるようにしている。例えば、広く用いられているＣＤは、信号の記録可能周波数の上限が約２２ｋＨｚまでとなっている。また、スピーカで再生できる周波数も２０ｋＨｚ程度が限界とされている。一方、１６ｋＨｚ以下の高周波信号のみを再生した場合、人間の耳には却って耳障りの音として聞こえてしまう可能性がある。
【００２９】
そこで、この実施形態では、人間の聴覚では、殆ど無音に近いと認識されるが、脳では音を感知できる限界である１８ｋＨｚの高周波信号を、人間の脳が最も心地よく感じるテンポ１１６で再生するようにしている。また、高周波信号は皮膚でも感知しており、これによって、本来、高周波信号が持つ心地よさとテンポ１１６とが相俟って、聴取者にとってより一層、心地よいものとなる。
【００３０】
テンポ１１６、１８ｋＨｚの高周波信号の波形データを図３に示す。同図（Ａ）は周波数軸上での波形データ、同図（Ｂ）は時間軸上での波形データを示す。同図（Ａ）に示すように、１８ｋＨｚの周波数部分のレベルが他に比べて顕著に高いのが分かる。テンポ１１６の音楽信号の周波数軸上での波形データを図４（Ａ）に、また、時間軸上での波形データを図４（Ｂ）にそれぞれ示す。
【００３１】
図２は本発明に係る音楽データ記録媒体の他の実施形態を示す説明図である。この実施形態では、１８ｋＨｚの周波数を持ち、かつテンポ１１６の高周波信号と、テンポ１１６の音楽信号とを記録した音楽ＣＤを作成し、再生時には、音楽ＣＤに記録された高周波信号と音楽データとを再生装置を介して同時に発生させるようにしたものである。この場合、高周波信号と音楽信号との信号レベルには一定以上の差を持たせた方が良い。差がない場合には、重畳された高周波信号が音楽信号の中に埋没してしまい、高周波信号が与える好影響が出難くなるからである。
【００３２】
音楽ＣＤ制作装置１Ｂは、音源信号としてテンポ１１６、１８ｋＨｚの高周波信号とテンポ１１６の音楽信号とを音源信号とし、これらの音源信号をＣＤに記録することにより音楽ＣＤ２Ｂを作成する。作成された音楽ＣＤ２Ｂを再生装置にて再生することにより、聴取者はスピーカを介してテンポ１１６で刻まれた１８ｋＨｚの高周波信号とテンポ１１６で刻まれた音楽信号とを同時に聴取することができる。
【００３３】
テンポ１１６、１８ｋＨｚの高周波信号をテンポ１１６の音楽信号に重畳させた波形データを図５に示す。同図（Ａ）は周波数軸上での波形データ、同図（Ｂ）は時間軸上での波形データをそれぞれ示す。
【００３４】
＜実験例＞
本発明者が実験した結果を図６乃至図８を用いて説明する。
【００３５】
初めに、脳波の分類について概説すると、脳波は、以下のように分類できる。デルタ波は２〜４Ｈｚの脳波であり、睡眠中など完全に眠ってしまってほとんど意識がない状態の時に発生する。また、シータ波は４〜８Ｈｚの脳波であり、まどろみ状態の時、または自分という存在を無くす位まで集中した状態、あるいは強い瞑想状態の時に発生する。アルファ波は８〜１３Ｈｚの脳波であり、リラックスしている時や集中している状態の時に発生する。さらに、ベータ波は１３〜３０Ｈｚの脳波であり、緊張している時やイライラ状態の時に発生する。
【００３６】
この実験においては、同一の被験者に対して、無音状態の時、テンポ１１６、１８ｋＨｚの高周波信号を聴かせた時、およびテンポ１１６、１８ｋＨｚの高周波信号にテンポ１１６の音声信号を加えて聴かせた時の３つの状態において、シータ波とアルファ波を測定してトポグラフに表したものである。
【００３７】
無音状態においては、図６に示すようなトポグラフが得られた。図６から理解できるように、無音状態では、前頭葉の一部であるＡ１の部分に僅かであるがシータ波が発生していることが伺える。前述したように、シータ波は、浅い眠りに入った状態、自分という存在を無くす位まで集中した状態、または強い瞑想状態の時に顕著に発生する脳波である。但し、眠った状態では、脳全体に一様に広がったトポグラフとなる。
【００３８】
次に、図３に示した信号、すなわち、テンポ１１６、１８ｋＨｚの高周波信号を聴かせたところ、図７に示すようなトポグラフが得られた。図７から理解できるように、図中、Ａ２で示す前頭葉部分の色が図６のＡ１部分と比較して濃くなっており、被験者の集中力が高まっていることが確認できた。
【００３９】
さらに、図５に示した信号、すなわち、テンポ１１６、１８ｋＨｚの高周波信号にテンポ１１６の音声信号を加えたものを聴かせたところ、図８に示すようなトポグラフが得られた。図８から分かるように、図７と同様にＡ３部分が濃くなっており、被験者の集中力が高まっていることが理解できた。また、この状態では、アルファ波が広い範囲に分布していることが確認できた。アルファ波は、目を閉じて安静にしているとき、頭の後ろの方に大きく出てくるもので、緊張しているときより、リラックスした方が大きくなる波である。図８の例では、被験者が非常にリラックスした状態であることが確認できた。
【００４０】
＜変形例＞
以上、上述した実施の形態においては、高周波信号の周波数として１８ｋＨｚを例に説明したが、本発明はこれに限られるものではなく、１８ｋＨｚ±２ｋＨｚの周波数であれば良い。
【００４１】
また、上述した実施の形態においては、テンポとして、毎分１１６で刻むテンポ１１６を例に説明したが、本発明はこれに限られるものではなく、テンポ１１６の約数または倍数である２９×２ｎ（ｎ＝０，１，２，３）回／分のテンポであれば良い。また、テンポ１１６も±１程度の幅があるものである。
【００４２】
さらに、上述した実施の形態においては、音楽データ記録媒体として音楽ＣＤを例に説明したが、本発明はこれに限られるものではなく、音楽テープ、ＭＤ、ＭＰ３その他の半導体記憶素子等、音楽データを記録でき、再生可能な記録媒体であればその種類は問わない。
【図面の簡単な説明】
【００４３】
【図１】本発明に係る音楽データ記録媒体の一例を示す説明図である。
【図２】本発明に係る音楽データ記録媒体の他の例を示す説明図である。
【図３】テンポ１１６、１８ｋＨｚの高周波信号の波形データを示す説明図である。
【図４】テンポ１１６の音楽信号の波形データを示す説明図である。
【図５】テンポ１１６、１８ｋＨｚの高周波信号＋テンポ１１６の音楽信号の波形データを示す説明図である。
【図６】無音状態における被験者の脳の状態を示すトポグラフである。
【図７】テンポ１１６、１８ｋＨｚの高周波信号の聴取時における被験者の脳の状態を示すトポグラフである。
【図８】テンポ１１６、１８ｋＨｚの高周波信号＋テンポ１１６の音楽信号の聴取時における被験者の脳の状態を示すトポグラフである。
【符号の説明】
【００４４】
１Ａ，１Ｂ：音楽ＣＤ制作装置  
２Ａ，２Ｂ：音楽ＣＤ（音楽データ記録媒体）
【図１】
2006349772.tif 000003
【図２】
2006349772.tif 000004
【図３】
2006349772.tif 000005
【図４】
2006349772.tif 000006
【図５】
2006349772.tif 000007
【図６】
2006349772.tif 000008
【図７】
2006349772.tif 000009
【図８】
2006349772.tif 000010